(57)【要約】【課題】外部機器を自動的に検出可能としながらも、該自動検出による電力消費を最小限に抑えることができる携帯端末を提供する。【解決手段】表示部６への電力供給を開始するタイミングでＨＤＭＩコネクタ２に表示機器検出用の５Ｖ電源の供給を開始する。これにより、表示部６に電力供給している間、表示機器６０の自動検出が可能となる。また、表示部６への電力供給を開始するタイミングでＨＤＭＩコネクタ２へ電力供給を開始することで、表示部６の利用を開始するまでＨＤＭＩコネクタ２への電力供給をしないようにできるので、消費電力を抑えることができる。【選択図】図１
2013021610.tif 000002
【特許請求の範囲】
【請求項１】
表示部と、
電池と、
ＨＤＭＩ規格の接続部と、
前記電池より、少なくとも前記接続部に電源を供給可能な電源部と、を備え、
前記表示部への電力供給を開始した場合、前記電源部は前記接続部へ電力供給を開始し、
前記接続部へ供給された電力を利用して、前記接続部に接続された外部機器を検出する携帯端末。
【請求項２】
請求項１に記載の携帯端末であって、
前記表示部への電力供給を終了した場合、前記電源部は前記接続部への電力供給を終了する携帯端末。
【請求項３】
請求項１又は請求項２に記載の携帯端末であって、
前記表示部は、液晶表示部であり、
前記液晶表示部に供給される電力は、前記液晶表示部のバックライトに利用される携帯端末。
【発明の詳細な説明】
【技術分野】
【０００１】
本発明は、ＨＤＭＩ（High-Definition Multimedia Interface）ケーブルによる外部機器との接続を自動的に検出する携帯電話やスマートフォン等の携帯端末に関する。
【背景技術】
【０００２】
従来、家庭用電気製品のテレビとＨＤＤレコーダ、Ｂｌｕ−ｒａｙ  Ｄｉｓｃ  Ｐｌａｙｅｒなどの機器の接続にＨＤＭＩケーブルが使用されるようになってきている。
【０００３】
図３は、ＨＤＤレコーダやＢｌｕ−ｒａｙ  Ｄｉｓｃ  Ｐｌａｙｅｒ等の映像機器５０及びテレビ等の表示機器６０それぞれのＨＤＭＩ接続部分の概略構成を示すブロック図である。同図において、映像機器５０は、映像信号や音声信号を出力するソース機器と呼ばれるものであり、ＨＤＭＩ規格のＡ型コネクタ（以下、“ＨＤＭＩコネクタ”と呼ぶ）５１、ＨＤＭＩ送信部５２、ＨＤＭＩ送信部用電源部５３、制御用ＣＰＵ５４及び電源部５５を備えている。表示機器６０は、シンク機器と呼ばれるものであり、ＨＤＭＩ規格のＨＤＭＩ受信部６１を備えており、このＨＤＭＩ受信部６１が受信したＨＤＭＩ規格に準拠した映像信号を表示する。映像機器５０と表示機器６０はＨＤＭＩケーブル７０で接続される。ＨＤＭＩケーブル７０は、表示機器６０とＨＤＭＩコネクタ５１を接続するＨＤＭＩ規格に準拠するケーブルである。
【０００４】
映像機器５０において、ＨＤＭＩ送信部５２は、ＨＤＭＩコネクタ５１に接続されるＨＤＭＩケーブル７０を通して映像信号や音声信号を表示機器６０に送信する。ＨＤＭＩ送信部５２は、ＨＰＤ（Hot Plug Detect）による外部機器の接続検出を行う検出部５２１を備えている。検出部５２１は、ＨＤＭＩコネクタ５１の１つの端子（１８番端子）に印加される５Ｖ電源を表示機器６０経由で検出する。この場合、映像機器５０に表示機器６０が接続されていなければ、ＨＤＭＩコネクタ５１の１つの端子に印加された５Ｖ電源が表示機器６０側に伝わらないため、５Ｖ電源の検出を行えないが、映像機器５０に表示機器６０が接続されたときは、ＨＤＭＩコネクタ５１の１つの端子に印加された５Ｖ電源がＨＤＭＩケーブル７０を介して表示機器６０に伝わり、さらに表示機器６０からＨＤＭＩケーブル７０を介して映像機器５０に伝わってくるので、接続機器有りの検出が行える。
【０００５】
ＨＤＭＩ送信部用電源部５３は、電源部５５の電源出力からＨＤＭＩ送信部５２等で必要となる複数の電圧（５Ｖ，３．３Ｖ，１．８Ｖ，１．２Ｖ）を生成し出力する。ＨＤＭＩ送信部用電源部５３で生成される複数の電圧のうちの５Ｖ電源は、上述した外部機器との接続検出にも用いられる。制御用ＣＰＵ５４は、映像出力部５４１、音声出力部５４２、割込検出部５４３及び制御用ＩＦ部５４４を備える。映像出力部５４１は映像信号を出力し、音声出力部５４２は音声信号を出力する。また、割込検出部５４３は、ＨＤＭＩ送信部５２の検出部５２１から出力される割込信号ＩＲＱを検出する。制御用ＩＦ部５４４は、ＨＤＭＩ送信部用電源部５３の動作を制御する。制御用ＣＰＵ５４は、割込検出部５４３が割込信号ＩＲＱを検出することで、表示機器６０が接続されたことを認識する。映像機器５０の動作で必要となる電源は、ＡＣコンセント８０から常時供給されるので、外部機器検出に必要な５Ｖ電源は常時得られる。このため、外部機器検出を自動的に行うことが可能である。
【０００６】
特許文献１には、ＨＤＭＩ規格のＨＰＤ検出をホストＣＰＵのＧＰＩＯ（General Purpose Input/Output）で検出する内容が記載されている。
【先行技術文献】
【特許文献】
【０００７】
【特許文献１】特開２００８−１５８５９５号公報
【発明の概要】
【発明が解決しようとする課題】
【０００８】
上述した外部機器検出には、ソース機器である映像機器５０から常時５Ｖ電源を出力し続ける必要があるが、映像機器５０のようにＡＣコンセント８０から電源の供給を受けることができるソース機器では電力消費を気にする必要はないものの、携帯端末のような電池を電源とするソース機器では５Ｖ電源を常時出力することで電池を早く消費させてしまい、携帯端末の待ち受け時間が短くなってしまう。このようなことから電池を電源とする携帯端末などのソース機器では外部機器を自動検出する手段を搭載しないケースが多い。
【０００９】
特許文献１に記載された情報処理装置では、ＨＰＤを検出することは可能であるが、携帯端末の場合、低電圧で動作するデバイスを使用しているため、外部にレベルシフタなどの実装が必要となる。また、制御用ＣＰＵに検出用の割込端子を追加する必要がある。
【００１０】
本発明は、係る事情に鑑みてなされたものであり、外部機器を自動的に検出可能としながらも、該自動検出による電力消費を最小限に抑えることができる携帯端末を提供することを目的とする。
【課題を解決するための手段】
【００１１】
本発明の携帯端末は、表示部と、電池と、ＨＤＭＩ規格の接続部と、前記電池より、少なくとも前記接続部に電源を供給可能な電源部と、を備え、前記表示部への電力供給を開始した場合、前記電源部は前記接続部へ電力供給を開始し、前記接続部へ供給された電力を利用して、前記接続部に接続された外部機器を検出する。
【００１２】
上記構成によれば、表示部に電力供給を開始した場合に、ＨＤＭＩ規格の接続部に電力供給を開始し、接続部に接続された外部機器の検出を行う。これにより、表示部に電力を供給している間、外部機器を自動的に検出可能となる。また、表示部への電力供給を開始するタイミングで接続部へ電力供給を開始することで、表示部の利用を開始するまで、接続部への電力供給をしないようにできるので、消費電力を抑えることができる。
【００１３】
上記構成において、前記表示部への電力供給を終了した場合、前記電源部は前記接続部への電力供給を終了する。
【００１４】
上記構成によれば、待ち受け時間に影響無く、外部機器を自動的に検出可能となる。また、表示部への電力供給を終了するタイミングで接続部への電力供給を終了する。これにより、表示部の利用を終了した以降、接続部への電力供給をしないようにすることができ、消費電力を抑えることができる。
【００１５】
上記構成において、前記表示部は、液晶表示部であり、前記液晶表示部に供給される電力は、前記液晶表示部のバックライトに利用される。
【００１６】
上記構成によれば、ＨＤＭＩ規格の接続部への電力供給を液晶表示部への電力供給と連動させる。これにより、待機電流が低いことから、待ち受け時間に影響無く外部機器を自動的に検出可能となる。
【発明の効果】
【００１７】
本発明によれば、表示部に電力供給を開始した場合に、ＨＤＭＩ規格の接続部に電力供給を開始し、接続部に接続された外部機器の検出を行うので、表示部に電力を供給している間、外部機器を自動的に検出可能となる。また、表示部への電力供給を開始するタイミングで接続部へ電力供給を開始することで、表示部の利用を開始するまで、接続部への電力供給をしないようにできるので、消費電力を抑えることができる。
【図面の簡単な説明】
【００１８】
【図１】本発明の一実施の形態に係る携帯端末及びテレビ等の表示機器それぞれのＨＤＭＩ接続部分の概略構成を示すブロック図
【図２】図１の携帯端末のＣＰＵの処理を説明するためのフローチャート
【図３】ＨＤＤレコーダやＢｌｕ−ｒａｙ  Ｄｉｓｃ  Ｐｌａｙｅｒ等の映像機器及びテレビ等の表示機器それぞれのＨＤＭＩ接続部分の概略構成を示すブロック図
【発明を実施するための形態】
【００１９】
以下、本発明を実施するための好適な実施の形態について、図面を参照して詳細に説明する。
【００２０】
図１は、本発明の一実施の形態に係る携帯端末及びテレビ等の表示機器それぞれのＨＤＭＩ接続部分の概略構成を示すブロック図である。同図において、本実施の形態に係る携帯端末１は、携帯電話やスマートフォン等であって、リチウムイオン電池等の充電可能な端末用電池（電池）７を電源として動作し、表示部６に映像やメールの内容を表示するものである。携帯端末１は、ＨＤＭＩコネクタ（接続部）２、ＨＤＭＩ送信部３、ＨＤＭＩ送信部用電源部（電源部）４、ＵＩ部５、表示部６、端末用電池７及び端末制御用ＣＰＵ８（以下、“ＣＰＵ”と呼ぶ）を備えている。
【００２１】
ＨＤＭＩ送信部３は、ＨＤＭＩコネクタ２に接続されたＨＤＭＩケーブル７０を通して映像信号や音声信号を表示機器（外部機器）６０へ送信する。ＨＤＭＩ送信部３は、ＨＰＤ（Hot Plug Detect）による外部機器検出を行う検出部３０を備えている。検出部３０は、ＨＤＭＩコネクタ２の１つの端子（１８番端子）に印加される５Ｖ電源を表示機器６０経由で検出する。この場合、携帯端末１に表示機器６０が接続されていなければ、ＨＤＭＩコネクタ２の１つの端子に印加された５Ｖ電源が表示機器６０側に伝わらないため、５Ｖ電源の検出を行えないが、携帯端末１に表示機器６０が接続されたときは、ＨＤＭＩコネクタ２の１つの端子に印加された５Ｖ電源がＨＤＭＩケーブル７０を介して表示機器６０に伝わり、さらに表示機器６０からＨＤＭＩケーブル７０を介して携帯端末１に伝わってくるので、接続機器有りの検出が行える。
【００２２】
ＨＤＭＩ送信部用電源部４は、端末用電池７の電力からＨＤＭＩ送信部３等で必要となる複数の電圧（５Ｖ，３．３Ｖ，１．８Ｖ，１．２Ｖ）を生成し出力する。ＨＤＭＩ送信部用電源部４で生成される複数の電圧のうち５Ｖの電源は上述した外部機器検出にも用いられる。ＵＩ部５は、テンキー、機能キー、電源オン・オフ用キーなどの操作キーを有する。表示部６は、上述したように、映像やメールの内容を表示するものである。表示部６は、液晶表示器、バックライト及び表示駆動系回路（いずれも図示略）を備えている。
【００２３】
ＣＰＵ８は、ＵＩ制御部８１、２つの映像出力部８２，８３、音声出力部８４、割込検出部８５、制御用ＩＦ部８６を備える。ＵＩ制御部８１は、ＵＩ（User Interface）部５を制御し、ＵＩ部５からの操作情報を入力する。映像出力部８２は、表示部６に映像信号を出力する。映像出力部８３は、ＨＤＭＩ送信部３に映像信号を出力する。音声出力部８４は、ＨＤＭＩ送信部３に音声信号を出力する。割込検出部８５は、ＨＤＭＩ送信部３の検出部３０からの割込信号ＩＲＱを検出する。
【００２４】
割込検出部８５は、割込信号ＩＲＱを検出することで、外部機器である表示機器６０が接続されたことを認識する。なお、説明するまでもないが、表示機器６０との接続はＨＤＭＩケーブル７０により行われる。制御用ＩＦ部８６は、ＨＤＭＩ送信部用電源部４の動作を制御する。制御用ＩＦ部８６は、表示部６がオンするタイミングに合わせてＨＤＭＩ送信部用電源部４をオン状態にし、表示機器６０の接続検出を可能にする。表示部６がオンになるタイミングとは、ユーザが携帯端末１の操作を開始して表示部６に電力の供給が開始されたときである。表示部６に供給される電力はバックライトの点灯に利用される。表示部６のバックライトへの電力供給は予め設定された時間継続して行われる。バックライトの点灯時間はユーザが任意に調整することができる。すなわち、携帯電話は、一般的にバックライトの点灯時間を調整できる機能を有しており、バックライトは調整された時間だけ継続して点灯する。なお、ＨＤＭＩ送信部３は、ＣＰＵ８に内蔵されていてもよい。
【００２５】
本実施の形態では、バックライトを点灯させている間、ＨＤＭＩ送信部用電源部４をオン状態にし、その間に表示機器６０の接続検出を可能にしている。このように、表示部６に電力を供給してバックライトを点灯させている間、表示機器６０の検出を可能にしている。表示部６への電力供給を開始するタイミングでＨＤＭＩ送信部用電源部４をオン状態にしてＨＤＭＩコネクタ２へ電力供給を開始することで、表示部６の利用を開始するまで、ＨＤＭＩコネクタ２への電力供給をしないようにできるので、消費電力を抑えることができる。
【００２６】
表示機器６０は、携帯端末１の外部に配置される薄型テレビ等であって、ＨＤＭＩ規格のＨＤＭＩ受信部６１を備えており、このＨＤＭＩ受信部６１で受信されたＨＤＭＩ規格に準拠した映像データを表示する。ＨＤＭＩケーブル７０は、表示機器６０とＨＤＭＩコネクタ２を接続するＨＤＭＩ規格に準拠するケーブルである。
【００２７】
次に、本実施の形態の携帯端末１の動作を説明する。
図２は、本実施の形態の携帯端末１の動作を説明するためのフローチャートである。同図において、携帯端末１に電源が投入されると、端末用電池７からの電力が装置各部に供給される。端末用電池７からの電力供給を受けて、ＣＰＵ８は、装置各部の起動と初期設定を行う（ステップＳ１）。初期設定を行った後、表示オフ待受状態にする（ステップＳ２）。すなわち、表示部６のバックライトのみならず、表示駆動系回路の電源をオフにする。表示オフ待受状態にした後、キーの入力を待つ（ステップＳ３）。キー入力があると、ＣＰＵ８は、スリープ状態から復帰し（ステップＳ４）、起動状態になる。そして、ＣＰＵ８は、表示部６のバックライト及び表示駆動系回路の電源をオンにする（ステップＳ５）。次いで、ＣＰＵ８は、ＨＤＭＩ送信部用電源部４を起動させてＨＤＭＩ送信部３を起動させる（ステップＳ６）。さらに、割込検出部８５で割込信号ＩＲＱを検出できる状態にしておく（ステップＳ７）。
【００２８】
ＣＰＵ８は、割込信号ＩＲＱを検出できる状態にした後、表示機器６０が接続されたかどうか判定する（ステップＳ８）。ステップＳ６でＨＤＭＩ送信部用電源部４を起動させたことで、表示機器検出用の５Ｖ電源が得られるので、ＨＤＭＩ送信部３の検出部３０が表示機器検出用の５Ｖ電源を検出して割込信号ＩＲＱを出力した場合、ＣＰＵ８は、表示機器６０が接続されたと判断する。ＣＰＵ８は、表示機器６０が接続されたと判断すると（ステップＳ８の判定で「Ｙｅｓ」と判断すると）、シンク機器が何であるか認証する（ステップＳ９）。シンク機器を認証した後、ＨＤＭＩ出力を行う（ステップＳ１０）。すなわち、ＨＤＭＩコネクタ２の８個のピン（端子）から映像信号と音声信号を出力する。
【００２９】
ＣＰＵ８は、ＨＤＭＩ出力を行った後、ＨＤＭＩ出力を停止する（ステップＳ１１）。すなわち、ＨＤＭＩコネクタ２の８個のピンからの映像信号と音声信号の出力を停止する。次いで、表示部６のバックライトのみならず、表示駆動系回路の電源をオフする（ステップＳ１２）。バックライトや表示駆動系回路の電源をオフした後、ＨＤＭＩ送信部用電源部４をオフする（ステップＳ１３）。すなわち、ＨＤＭＩ送信部３をオフする。ＣＰＵ８は、ＨＤＭＩ送信部用電源部４をオフした後、待受状態（スリープ状態）になり（ステップＳ１４）、本処理を終える。一方、ステップＳ８の判定において、表示機器６０が接続されていない判断すると（ステップＳ８の判定で「Ｎｏ」と判断すると）、前述したステップＳ９〜ステップＳ１１の処理を行わず、ステップＳ１２に移行して、ステップＳ１２以降の処理を行う。
【００３０】
このように本実施の形態に係る携帯端末１によれば、表示部６への電力供給を開始するタイミングでＨＤＭＩコネクタ２に表示機器検出用の５Ｖ電源の供給を開始するので、表示部６に電力供給している間、表示機器６０の自動検出が可能となる。また、表示部６への電力供給を開始するタイミングでＨＤＭＩコネクタ２へ電力供給を開始することで、表示部６の利用を開始するまでＨＤＭＩコネクタ２への電力供給をしないようにできるので、消費電力を抑えることができる。
【００３１】
なお、本実施の形態の携帯端末１の上記した処理を記述したプログラムを、磁気ディスク、光ディスク、光磁気ディスク、半導体メモリ等の記憶媒体に格納して配布したり、インターネット等の電気通信回線を利用して配布したりすることも可能である。
【００３２】
また、ＧＰＳで自宅を登録ポイントにするか、Ｗ−ＬＡＮの自宅のアクセスポイント検出などを条件として追加することで、自宅外で表示機器６０の自動検出をしないようにすることで、省電力化を行うことも可能である。
【産業上の利用可能性】
【００３３】
本発明は、外部機器を自動的に検出可能としながらも、該自動検出による電力消費を最小限に抑えることができるといった効果を有し、ＨＤＭＩケーブルによる外部機器の接続を自動的に検出する携帯電話やスマートフォン等の携帯端末への適用が可能である。
【符号の説明】
【００３４】
１  携帯端末
２  ＨＤＭＩコネクタ
３  ＨＤＭＩ送信部
４  ＨＤＭＩ送信部用電源部
５  ＵＩ部
６  表示部
７  端末用電池
８  端末制御用ＣＰＵ
６０  表示機器
６１  ＨＤＭＩ受信部
７０  ＨＤＭＩケーブル
８１  ＵＩ制御部
８２，８３  映像出力部
８４  音声出力部
８５  割込検出部
８６  制御用ＩＦ部
【図１】
2013021610.tif 000003
【図２】
2013021610.tif 000004
【図３】
2013021610.tif 000005